(57)【特許請求の範囲】
【請求項１】
ビデオ画像を取り込んで記録紙にビデオ画像を記録するビデオプリンタにおいて、
予め定められた複数種類のフレーズを択一的に選択するフレーズ選択手段と、
選択されたフレーズに応じたマークを、前記ビデオ画像と一緒に前記記録紙に記録する記録部と、
前記記録紙をセットした後に再生操作手段を操作することに応答して、前記記録紙に前記記録部で記録したマークを読み取る読み取り手段と、
各マークに対応付けしたフレーズの音声データを記憶するメモリから、前記読み取り手段で読み取ったマークに応じたフレーズの音声データを読み出し、読み出した音声データを人工音声合成回路によって音声信号に変換する音声信号発生手段と、
前記音声信号を音声に変換するスピーカーと、
を備えたことを特徴とするビデオプリンタ。
【発明の詳細な説明】
【０００１】
【産業上の利用分野】
本発明は、声や音楽等の音声を記録及び再生する機能を備えたビデオプリンタに関するものである。
【０００２】
【従来の技術】
再生中のビデオレコーダから出力されたビデオ画像を取り込んでハードコピーを作成するビデオプリンタとしては、感熱記録紙を用いる感熱記録方式や普通紙を用いる熱転写記録方式及びインクジェット記録方式等が知られている。最近では、例えば本出願人から「フジックスフォトジョイプリンタ」の商品名で提供されているように、小型で安価な家庭用のビデオプリンタが広く市販されている。この家庭用ビデオプリンタでは、文字と絵柄とを合成した画像を簡単に、しかも多数枚作成することができるため、主としてポストカードの作成に用いられている。
【０００３】
【発明が解決しようとする課題】
このように、家庭用ビデオプリンタの主用途はポストカードの作成であるため、暑中見舞いや年賀状の作成時期にだけ使用されているのが実情である。また、従来の家庭用ビデオプリンタは、文字と絵柄だけしか記録することができないため、ポストカードを含めたハードコピーの作成の興味を高めることができなかった。
【０００４】
本発明は、ビデオプリンタの利用度を高めるとともに、楽しみのあるハードコピーを作成することができるようにしたビデオプリンタを提供することを目的とするものである。
【０００５】
【課題を解決するための手段】
上記目的を達成するために、本願発明のビデオプリンタでは、予め定められた複数種類のフレーズを択一的に選択するフレーズ選択手段と、選択されたフレーズに応じたマークを前記ビデオ画像と一緒に前記記録紙に記録する記録部と、前記記録紙をセットした後に再生操作手段を操作することに応答して前記記録紙に前記記録部で記録したマークを読み取る読み取り手段と、各マークに対応付けしたフレーズの音声データを記憶するメモリから前記読み取り手段で読み取ったマークに応じたフレーズの音声データを読み出し読み出した音声データを人工音声合成回路によって音声信号に変換する音声信号発生手段と、前記音声信号を音声に変換するスピーカーと、を備えたものである。これによれば、記録紙として普通紙を用いることができるので、簡便である。また、記録部は、マークと同時にビデオ画像を記録するため、ローコスト化を図ることができる。
【００１０】
【実施例】
図１において、ビデオプリンタ１０の外部には、電源ボタン１１、映像入力端子１２、映像出力端子１３、メモリボタン１４、プリントボタン１５、及びキーボード１６の他に、音声入力端子１７、記録紙差し込み口１８、スピーカー１９、録音ボタン２０、及び再生ボタン２１がそれぞれ設けられている。この録音ボタン２０を押下操作すると、ビデオプリンタ１０は録音モードに指定され、また再生ボタン２１を押下操作すると、音声再生モードに指定される。
【００１１】
ビデオプリンタ１０は、葉書サイズ（Ａ６）のカラー感熱記録紙２２が用いられる。ビデオ画像等を記録する場合には、複数枚のカラー感熱記録紙２２をカセット２３に収納し、このカセット２３を装填口２４に装填する。また、音声記録又は再生を行う場合には、カラー感熱記録紙２２を立てた状態で長手方向に沿って差し込み口１８に差し込む。
【００１２】
図２において、カラー感熱記録紙２２は同図（Ａ）に示すようにポストカードとなっており、同図（Ｂ）に示すように裏面の画像記録エリア２２ａの外には長手方向に沿って細幅の磁気記録層２５が帯状に塗布されている。このカラー感熱記録紙２２は、図３に示すように支持体２６の上に、シアン感熱発色層２７，マゼンタ感熱発色層２８，イエロー感熱発色層２９，保護層３０が、熱記録される順番に表面から層設されている。そして、磁気記録層２５は、保護層３０の上に設けられている。
【００１３】
シアン感熱発色層２７は、電子供与性染料前駆体と電子受容性化合物を主成分として含有し、加熱されたときにシアンに発色する。マゼンタ感熱発色層２８としては、最大吸収波長が約３６５ｎｍであるジアゾニウム塩化合物と、これに熱反応してマゼンタに発色するカプラーとを含有している。このマゼンタ感熱発色層２８は、熱記録後に３６５ｎｍ付近の紫外線を照射するとジアゾニウム塩化合物が光分解して発色能力が失われる。イエロー感熱発色層２９は、最大吸収波長が約４２０ｎｍであるジアゾニウム塩化合物と、これと熱反応してイエローに発色するカプラーとを含有している。このイエロー感熱発色層２９は４２０ｎｍ付近の紫外線を照射すると光定着して発色能力が失われる。
【００１４】
音声記録及び再生を行う場合には、図４に示すように、音声入力端子１７にマイク３１を接続する。差し込み口１８の内部には、カラー感熱記録紙２２が差し込まれる側に消去ヘッド３２が配置されている。消去ヘッド３２にはキャプスタンローラ３３が対峙している。カラー感熱記録紙２２は、差し込み口１８に差し込まれることで先端側が消去ヘッド３２とキャプスタンローラ３３との間でニップされる。このとき磁気記録層２５が消去ヘッド３２に接触した状態となる。
【００１５】
キャプスタンローラ３３は、モータ３４で駆動される。録音ボタン２０又は再生ボタン２１が操作されたときに制御部３５は、モータ３４を駆動し、キャプスタンローラ３３を反時計方向に一定速度で所定時間回転させる。カラー感熱記録紙２２は、キャプスタンローラ３３が回転する間に差し込み通路３６内を一定速度で通過する。消去ヘッド３２は、制御部３５に接続されており、録音ボタン２０が操作された際に作動し、磁気記録層２５の磁気信号を消去する。
【００１６】
差し込み通路３６には、録音ヘッド３７、再生ヘッド３８、圧着パッド３９，４０がそれぞれ配置されている。圧着パッド３９，４０は、録音ヘッド３７と再生ヘッド３８とにそれぞれ対峙して設けられており、カラー感熱記録紙２２が通過する際に磁気記録層２５を各ヘッド３７，３８にそれぞれ押し付ける。
【００１７】
録音系統は、録音ヘッド３７、ＦＭ変調器４１、アンプ４２、及び音声入力端子１７とが順に接続された構成となっている。アンプ４２は、マイク３１から送られてくる音声信号を増幅する。ＦＭ変調器４１には、制御部３５から送られてくるキャプスタンローラ３３の回転周期に比例した周波数信号に、音声信号に比例した変形を与えてＦＭ変調（周波数変調）し、ＦＭ信号として録音ヘッド３７に送る。録音ヘッド３７は、ＦＭ信号を磁気信号に変換して磁気記録層２５に記録する。
【００１８】
再生系統は、再生ヘッド３８、ＦＭ復調器４３、アンプ４４、及びスピーカー１９が順に接続された構成となっている。再生ヘッド３８は、磁気記録層２５に記録された磁気信号を読み取り、これを電気信号に変換してＦＭ復調器４３に送る。ＦＭ復調器４３は、電気信号を、制御部３５から送られてくる周波数信号に基づいて音声信号に復調してアンプ４４に送る。アンプ４４は、音声信号を増幅してスピーカー１９に送る。
【００１９】
制御部３５は、モータ３４の他に、ＦＭ変調器４１とＦＭ復調器４３とを統括的に制御している。すなわち、録音ボタン２０が操作された際にはＦＭ変調器４１に周波数信号を送り、また、再生ボタン２１が操作された際にはＦＭ復調器４３に周波数信号を送る。
【００２０】
画像記録を行う場合には、映像入力端子１２にＶＴＲ４６を、また、映像出力端子１３にモニタ４７をそれぞれ接続する。ＶＴＲ４６は、再生時にビデオヘッドで磁気テープ等からピックアップした映像信号をエンコード処理し、ＮＴＳＣ信号として映像入力端子１２に出力する。なお、ＶＴＲ４６の代わりに、例えばビデオカメラ、スチルビデオカメラ、現像済みフイルムを撮像して映像信号を出力するフォトビデオカメラ等を用いることができる。
【００２１】
ＮＴＳＣ信号は、映像入力端子１２を介してＹ／Ｃ分離回路４８に取り込まれる。Ｙ／Ｃ分離回路４８は、ＮＴＳＣ信号を輝度信号（Ｙ）と色信号（Ｃ）とに分離し、デコーダ４９に送る。デコーダ４９は、輝度信号（Ｙ）と色信号（Ｃ）とをイエロー，マゼンタ，シアンの３原色信号に変換し、Ａ／Ｄ変換器５０に送る。Ａ／Ｄ変換器５０は、各色の色信号を量子化して例えば２５６階調数の画像データに変換し、メモリ５１及びスイッチ５２に送る。
【００２２】
メモリ５１は、３色のビデオ画像（画像データ）をそれぞれ独立に２フィールド（１フレーム分）ずつ記憶する３つのメモリ部で構成されており、制御部３５の制御に従ってビデオ画像の書込み及び読出し動作が行われる。スイッチ５２は、通常、各色のビデオ画像をそのまま出力する状態となっており、Ｄ／Ａ変換器５３、及びエンコーダ５４を介してモニタ４７に再生中のビデオ画像を表示するとともに、メモリボタン１４の操作によって画像データを取り込んだ後は自動的にスイッチ５２が切り換えられて、画像合成部５５から出力される合成画像をモニタ系に送り出す。
【００２３】
メモリ５１は、制御部３５の制御に従って読み出し動作が行われ、１フレーム分のビデオ画像を間引き処理によって縮小して画像合成部５５に送る。画像合成部５５は、ビデオ画像と文字画像生成部５６から得られる文字画像とを合成する。
【００２４】
ビデオプリンタ１０の制御部３５には、キーボード１６が接続されている。キーボード１６には、ユーザーが意図する文字を指定するための文字キー等が設けられている。制御部１８は、キーボード２８で指定した文字データを文字画像生成部５６で生成する。この文字画像生成部５６は、キャラクタジェネレータ５７、及びＲＡＭ５８とから構成されている。
【００２５】
制御部３５は、キーボード１６で指定した文字データをキャラクタジェネレータ５８によって文字画像に変換する。ＲＡＭ５７には、文字画像が制御部３５の制御によってビット展開されて書き込まれる。この文字画像は、制御部３５の制御によって画像合成部５５に送り出される。画像合成部５５では、ビデオ画像と文字画像とを合成する。
【００２６】
プリントボタン１５の操作を行うと、画像合成部５５から出力された１ライン分の画像データがラインメモリ５９を介してヘッド駆動部６０に送られる。このヘッド駆動部６０は、この１ライン分の画像データに基づいてサーマルヘッド６１を駆動する。このサーマルヘッド６１は、周知のように、多数の発熱素子が主走査方向にライン状に配列されており、カラー感熱記録紙２２を加熱して３色面順次記録を行う。１色の熱記録が行われた後に、この色の感熱発色層に対応した紫外線ランプ６２，６３の照射によって光定着が行われ、その後、次の色が熱記録される。
【００２７】
次に、上記構成の作用について説明する。ポストカードを作成する場合には、Ａ６サイズのカラー感熱記録紙２２をカセット２３に収納し、このカセット２３をビデオプリンタ１０の装填口２４に装填する。また、ＶＴＲ４６の外部映像入出力端子をビデオプリンタ１０の映像入出力端子１２に接続し、さらに映像出力端子１３にモニタ４７を接続する。
【００２８】
キーボード１６で所望の文字、例えば「おばあちゃん  元気ですか」を入力する。制御部３５は、キーボード１６から入力された文字データをキャラクタジェネレータ５８で文字画像に変換し、ＲＡＭ５７にビット展開して書き込む。書き込まれた文字画像は、制御部３５の制御によって画像合成部５５に送られる。
【００２９】
一方、ＶＴＲ４６を再生状態にすると、これから出力されたＮＴＳＣ信号は、映像入力端子１２を介してＹ／Ｃ分離回路４８に取り込まれ、ここで、輝度信号（Ｙ）と色信号（Ｃ）とに分離される。これらの輝度信号（Ｙ）と色信号（Ｃ）とはデコーダ４９によりイエロー，マゼンタ，シアンの３原色信号に変換される。３原色信号は、Ａ／Ｄ変換器５０によって量子化されてデジタル信号に変換されてから、スイッチ５２に送られる。このビデオ画像は、スイッチ５２を介してそのままＤ／Ａ変換器５３に送られ、エンコーダ５４を介して映像出力端子１３に接続されたモニタ４７に再生中の画像が表示される。
【００３０】
モニタ４７の画像を確認しながら、プリントしたいシーンが現れてきたら、メモリボタン１４を操作する。メモリボタン１４が操作されると指定されたコマの１フレーム分のビデオ画像がメモリ５１に書き込まれるとともに、スイッチ５２が切り換えられる。書き込まれたビデオ画像は、間引き処理によって縮小されて画像合成部５５に送られる。画像合成部５５では、文字画像とビデオ画像とを合成した合成画像を作成する。この合成画像は、スイッチ５２、Ｄ／Ａ変換器５３及びエンコーダ５４を介してモニタ４７に出力され、スクリーンにプリントしようとする画像を表示する。
【００３１】
そして、モニタ４７のビデオ画像を確認した後、プリントボタン１５を操作すると、制御部３５は、カセット２３からカラー感熱記録紙２２を１枚取り出してプラテンドラムの外周に巻き付ける。このプラテンドラムの回転中に、制御部３５は、画像合成部５５を制御して合成画像の読み出しを行う。
【００３２】
合成画像は、画像合成部５５から１色、例えばイエローの画像データが１ラインずつ読み出され、ラインメモリ５９に書き込まれる。このラインメモリ５９は、制御部３５の制御に従って１ライン分のイエロー画像データが読み出され、ヘッド駆動部６０に送られる。ヘッド駆動部６０は、１ライン分のイエロー画像データに基づいてサーマルヘッド６１を駆動する。
【００３３】
サーマルヘッド６１は、イエロー画像データに応じて各発熱素子が発熱し、カラー感熱記録紙２２のイエロー感熱発色層２９を加熱してイエロー画像の１ラインを記録する。同様にしてイエロー画像を１ラインずつ記録する。このイエロー画像が記録された部分は、イエロー用紫外線ランプ６３によって所定波長の紫外線が照射されて光定着される。
【００３４】
プラテンドラムの１回転でカラー感熱記録紙２２が再びサーマルヘッド６１に対面され、マゼンタ画像の熱記録が開始される。これにより、カラー感熱記録紙２２のマゼンタ感熱発色層２８が１ラインずつ熱記録され、記録完了後にマゼンタ用紫外線ランプ６２で光定着される。最後に、シアンビデオ画像がカラー感熱記録紙２２のシアン感熱発色層２７に１ラインずつ熱記録される。３色面順次記録が終了すると、カラー感熱記録紙２２が排出口６４から排出される。
【００３５】
排出されたカラー感熱記録紙２２には、文字及び絵柄等のビデオ画像が記録されている。このカラー感熱記録紙２２はポストカードとなっているから、切手を貼ればそのまま郵便物として使用できる。
【００３６】
音声を録音する場合には、先ず電源ボタン１１を操作した後に、磁気記録層２２が磁気ヘッド３２，３７，３８に対峙するように、カラー感熱記録紙（ポストカード）２２を差し込み口１８に挿入する。この差し込み操作によりカラー感熱記録紙２２の先端が消去ヘッド３２とキャプスタンローラ３３との間でニップされる。
【００３７】
録音ボタン２０の操作を行うと、制御部３５は、録音モードにセットされ、モータ３４を駆動してキャプスタンローラ３３を回転させる。またこれと同時に消去ヘッド３２を作動させ、さらにＦＭ変調器４１にキャプスタンローラ３３の回転周期に比例した周波数信号を送り、録音ヘッド３７を作動させる。
【００３８】
キャプスタンローラ３３が回転するとカラー感熱記録紙２２は、差し込み通路３６に向けて搬送される。この間にマイク３１に向かって、例えば「おばあちゃん  元気ですか」等のメッセージを話す。この音声は、マイク３１によって音声信号に変換され、音声入力端子１７を介してアンプ４２に取り込まれる。
【００３９】
アンプ４２で増幅された音声信号は、ＦＭ変調器４１に取り込まれる。ＦＭ変調器４１では、制御部３５から入力されている周波数信号と音声信号とに基づいてＦＭ変調を行ってＦＭ信号を作成する。このＦＭ信号は、録音ヘッド３７に取り込まれ、録音ヘッド３７で磁気信号に変換されて磁気記録層２５に記録される。この記録は、消去ヘッド３２により消磁されたトラックに行われる。
【００４０】
制御部３５は、所定時間経過後にモータ３４の駆動を停止する。この時点では、カラー感熱記録紙２２が差し込み通路３６を抜け出ており、したがって、録音ヘッド３７による音声記録も終了している。
【００４１】
受け取ったポストカードから音声を再生する場合には、前述したように、先ず電源ボタン１１を操作した後に、磁気記録層２５が磁気ヘッド３２，３７，３８に対峙するように、カラー感熱記録紙（ポストカード）２２を差し込み口１８に挿入する。この差し込み操作によりカラー感熱記録紙２２の先端が消去ヘッド３２とキャプスタンローラ３３との間でニップされる。
【００４２】
再生ボタン２１の押下操作を行うと制御部３５は、音声再生モードにセットされ、モータ３４を駆動してキャプスタンローラ３３を回転させる。また、これと同時にＦＭ復調器４３にキャプスタンローラ３３の回転周期に比例した周波数信号を送り、再生ヘッド３８を作動させる。
【００４３】
キャプスタンローラ３３が回転するとカラー感熱記録紙２２は、差し込み通路３６内を搬送される。この間に再生ヘッド３８は、磁気記録層２５からＦＭ変調された磁気信号を読み取り、これを電気信号に変換してＦＭ復調器４３に送る。ＦＭ復調器４３では、周波数信号に基づいて電気信号から音声信号を作成する。この音声信号はアンプ４４で増幅されてからスピーカー１９に送られる。したがって、カラー感熱記録紙２２がキャプスタンローラ３３で搬送される間に、スピーカー１９から、例えば「おばあちゃん元気ですか」等のメッセージが流れる。
【００４４】
なお、ビデオプリンタ１０の外部にＬＥＤやランプを設け、音声を録音する場合、キャプスタンローラ３３の回転期間中だけ前記ＬＥＤやランプを点灯させて録音中の表示を行うのが好適である。
【００４５】
また、上記実施例では、磁気ヘッドを３つ設けた３ヘッド方式としているが、録音ヘッドと再生ヘッドとを兼用して２ヘッド方式としてもよい。この場合には、録音ボタン２０の操作が行われた場合には、録音・再生ヘッドをＦＭ変調器４１に接続し、また再生ボタン２１の操作が行われた場合には録音・再生ヘッドをＦＭ復調器４３に接続する切換えスイッチが設けられる。また、３つのヘッドを１個のシールドケースに納めたコンビネーション形ヘッドを用いてもよい。この場合には、コンパクト化が図れる。
【００４６】
上記実施例では、１チャンネルの録音ヘッド３２を用いてモノラル録音を行っているが、ステレオマイクと２チャンネルの録音ヘッドとを用いてステレオ録音を行ってもよい。この場合には、再生にあたっても２チャンネル再生が必要となるため、２チャンネルの再生ヘッドとステレオ用スピーカーとを備える必要がある。
【００４７】
上記実施例では、アナログ方式のＦＭ変調記録を行っているが、デジタル方式のＰＣＭ（パルス符号変調）記録を行ってもよい。図５に示す実施例の録音系統は、標本化７０、Ａ／Ｄ変換器７１、半導体メモリ７２、符号器７３、アンプ７４、及び録音ヘッド３７とが順に接続された構成となっている。マイク３１から送られてくる音声信号は、サンプリング周波数により標本化７０で標本化された後に、Ａ／Ｄ変換器７１でデジタル変換されて一旦半導体メモリ７２に格納される。したがって、この実施例では、予め音声を入力した後にカラー感熱記録紙２２をセットして録音ボタン２０を操作すればよい。
【００４８】
録音ボタン２０の操作に連動して、半導体メモリ７２から音声データが読み出され、符号器７３に送られる。符号器７３は、音声信号をコード信号に変換してアンプ７４を介して録音ヘッド３７に送る。これにより録音ヘッド３７は、コード信号を磁気信号に変換して磁気記録層２５に記録を行う。
【００４９】
再生系統には、再生ヘッド３８、アンプ７６、検出器７７、復号器７８、Ｄ／Ａ変換器７９、及びスピーカー１９が順に接続された構成となっている。再生ヘッド３８で読み取った再生信号は、アンプ７６を介して検出器７７に送られる。検出器７７では、再生信号を二値化して波形整形する。この整形した信号は、復号器７８でデコードされてからＤ／Ａ変換器７９でアナログ信号に変換されてスピーカー１９に送られる。
【００５０】
このデジタル録音では、半導体メモリ７２を備えているから、複数枚のカラー感熱記録紙２２に音声記録を行う場合でもマイク３１を通してその都度同じ音声を一々入力する手間が省ける利点がある。また、録音中にマイクに向かって話す場合には、そのタイミングが難しいので、予め入力してから録音開始タイミングに合わせて音声信号の記録を行うことができる。
【００５１】
上記実施例では、キャプスタンローラ３３でカラー感熱記録紙２２を移動させて固定ヘッドで録音及び再生を行うようにしているが、本発明ではこれに限らず、カラー感熱記録紙２２を固定しておき、磁気ヘッドを移動させるようにしてもよい。また、磁気記録層２５を施す範囲としては、画像記録エリア外に限定する必要はなく、画像記録エリア内、例えば全面に施してもよい。この場合には、透明な磁気記録層とする必要がある。
【００５２】
段落［００１０］〜［００４６］で説明したビデオプリンタでは、マイク３１を通して所望するメッセージを話すことでその音声信号を記録紙に設けた磁気記録層に記録し、再生時には磁気記録層から音声信号を読み出して再生するビデオプリンタについて説明している。また、段落［００４７］〜［００５０］で説明したビデオプリンタでは、マイク３１から入力されるアナログの音声信号をデジタルの音声信号に変換して半導体メモリ７２に予め記憶しておき、録音時に、半導体メモリ７２からデジタルの音声信号を読み出し、読み出した音声信号を符号化してコード信号に変換して磁気記録層に記録するとともに、再生時には磁気記録層からコード信号（再生信号）を読み出し、読み出した再生信号を二値化、複合化、並びにＤ／Ａ変換して再生するビデオプリンタについて説明している。これら各ビデオプリンタの構成の一部を用いて、本実施形態では、予め複数のメッセージ（以下、「フレーズ」と称す）を決めておき、そして各フレーズに例えば、バーコードなどのマークを割り当て、このマークの記録及び読み取りとを行うことで音声記録及び再生とを行う。このビデオプリンタには、フレーズ選択操作部、記録手段、読み取り手段、音声信号再生手段、及び再生操作手段が設けられている。フレーズ選択操作部は、外部操作によって複数種類のフレーズを択一的に選択する。記録手段は、図４で説明したメモリ５１、画像合成部５５、ラインメモリ５９、ヘッド駆動部６０、サーマルヘッド６１などで構成され、選択されたフレーズに応じたマーク、例えばバーコードを記録紙に記録する。読み取り手段は、記録紙に記録されたマークを読み取る。音声信号再生手段は、読み取ったマークに応じたフレーズの音声データをメモリから読み出し、人工音声合成回路によって音声信号に変換する。再生操作手段は、外部操作によって音声信号再生手段を作動させる。
【００５３】
この実施例の作用を簡単に説明する。録音を行う場合には、記録紙をビデオプリンタにセットした後に、フレーズ選択操作部から予め決まったフレーズ、例えば「明けましておめでとうございます」等を選択する。ビデオ画像の記録と同時に、選択されたフレーズに対応したマーク、例えば図６に示すバーコード８０がサーマルヘッドで記録紙８１に記録される。これによれば、マークを記録する記録手段が、ビデオ画像の記録を行う記録手段と兼用することができ、コストダウンが図れる。
【００５４】
再生する場合には、記録紙をビデオプリンタにセットした後に、再生操作手段を操作する。これにより、読み取り手段がマークを読み取り、音声信号再生手段が、読み取ったマークに対応したフレーズの音声データをメモリから読み出し、この音声データを人工音声合成回路によって音声信号に変換してスピーカーに送る。読み取り手段としては、記録紙を搬送しながらマークを読み取る固定タイプと、記録紙を固定しておき読み取り手段が移動或いはスキャンする移動タイプとのいずれでもよい。なお、マークとしては、バーコードの他に、穴の組み合わせ等識別できるマークであれば何れでもよい。
【００５５】
上記実施例では、カラー感熱記録紙２２に画像を記録するビデオプリンタ１０について説明したが、本発明はこれに限定されることなく、例えばインクシートを使用する昇華型熱転写記録方式のサーマルプリンタやインクジェットプリンタ等でもよい。また、ラインプリンタについて説明したが、本発明はシリアルプリンタにも適用することができる。
【００５６】
上記実施例のビデオプリンタでは、ＮＴＳＣ方式のビデオ信号を取り入れてビデオ画像を作成するようにしているが、本発明ではこれに限らず、ＰＡＬ方式やＳＥＣＡＭ方式の信号を取り入れてビデオ画像を作成するタイプでもよく、また、ハイビジョンやデジタルテレビジョン用の信号を取り入れてビデオ画像を作成するタイプでもよい。さらに、本発明では、ポストカードに限らず、所望のサイズの記録紙を用いてもよい。
【００５７】
【発明の効果】
以上説明したように、本発明のビデオプリンタによれば、予め定められた複数種類のフレーズを択一的に選択するフレーズ選択手段と、選択されたフレーズに応じたマークをビデオ画像と一緒に記録紙に記録する記録部と、前記記録紙をセットした後に再生操作手段を操作することに応答して前記記録紙に前記記録部で記録したマークを読み取る読み取り手段と、各マークに対応付けしたフレーズの音声データを記憶するメモリから前記読み取り手段で読み取ったマークに応じたフレーズの音声データを読み出し読み出した音声データを人工音声合成回路によって音声信号に変換する音声信号発生手段と、この音声信号を音声に変換するスピーカーと、を備えているため、絵柄や文字の他に、音声に変換をすることができるマークを記録紙に記録することでき、楽しみのあるハードコピーを作成することができる。また、音声に変換をすることができるマークを加えることで年賀状だけでなく、家族の近況を知らせるポストカードの作成意欲をかきたたせることができる。これらによってビデオプリンタの利用度を高めることができる。
【図面の簡単な説明】
【図１】本発明のビデオプリンタの外観を示す斜視図である。
【図２】カラー感熱記録紙の説明図であり、（Ａ）は表面、（Ｂ）は裏面である。
【図３】カラー感熱記録紙の断面図を示す。
【図４】ビデオプリンタの概略を示すブロック図である。
【図５】ＰＣＭ録音方式の実施例を示すブロック図である。
【図６】音声フレーズのマークを記録した記録紙を示す説明図である。
【符号の説明】
１０  ビデオプリンタ
２２  カラー感熱記録紙
２５  磁気記録層
３１  マイク
３２  消去ヘッド
３３  キャプスタンローラ
３７  録音ヘッド
３８  再生ヘッド
６１  サーマルヘッド
【図１】
0003810103.tif 000002
【図２】
0003810103.tif 000003
【図３】
0003810103.tif 000004
【図４】
0003810103.tif 000005
【図５】
0003810103.tif 000006
【図６】
0003810103.tif 000007